(57)【要約】【課題】視覚障害者や高齢者など、視力の弱っている人が安心して操作でき、なおかつ、視力の弱っていない人も使い勝手がよい給湯機のリモコンを提供する。【解決手段】音声案内設定手段１６で、すべてのスイッチ操作に応じて音声案内を出すように設定することにより、すべてのスイッチ操作に対応した音声案内を音声出力手段６から出すことができるので、視力の弱っている人が安心して操作できる。また、音声案内設定手段１６で音声案内の程度を変えることができるので、音声案内が必要でない人も使い勝手が良い。【選択図】図２
2006292192.tif 000002
【特許請求の範囲】
【請求項１】
音声出力手段と複数のスイッチを備えた給湯機のリモコンにおいて、すべてスイッチ操作に応じて音声案内をだすのか、一部のスイッチ操作に限定するのか、すべての音声案内を出さないのかを設定する音声案内設定手段を備えた給湯機のリモコン。
【請求項２】
音声出力手段と複数のスイッチを備えた給湯機のリモコンにおいて、一度スイッチを操作するとそのスイッチの名称または機能を音声出力手段から発声し、一度目のスイッチ操作から一定時間内に再度同じスイッチを操作した場合のみ、スイッチを受け付けて動作を開始するスイッチ受付手段を備えた給湯機のリモコン。
【発明の詳細な説明】
【技術分野】
【０００１】
本発明は、音声出力手段と複数のスイッチを備え、操作に対する音声案内を行うことができる給湯機のリモコンに関するものである。
【背景技術】
【０００２】
近年、給湯機のリモコンは、より使いやすく、また、誰でも使えるように音声案内機能付きのものが普及してきた（例えば特許文献１参照）。
【特許文献１】特開２０００−１４６２８６号公報
【発明の開示】
【発明が解決しようとする課題】
【０００３】
しかしながら、前記従来の給湯機のリモコンでは、音声案内手段は有するものの、全てのキー操作に対して音声案内を行うものではなく、キー操作に対してメロディ（例えば「ピッ」）と音声案内（例えば「お湯張りをします」）を行う設定と、メロディだけの設定、なにも音を出さない設定ができたが、メロディと音声案内を行う設定であっても、音声案内をしないスイッチがあった。
【０００４】
例えば、運転スイッチを入れた時は「ピッ」だけであり、切ったときは「ピロロ」、また給湯温度のアップは「ピッ」、ダウンは「ポッ」だけである。運転の入り／切りで音を変えたり、給湯温度のアップ／ダウンで音を変えたりしていたが、スイッチの受付音と呼ばれる「ピッ」の音は、複数のスイッチに使われていた。
【０００５】
スイッチ操作に対しては、音とＬＥＤなどの表示で確認ができるが、視覚障害者にとっては、ＬＥＤなどの表示は役に立たず、もっぱらスイッチの場所を触覚で確認すると共に、音声案内が重要である。
【０００６】
このように、従来のリモコンでは、音声案内をしていないスイッチがあり、視覚障害者や高齢者にとって不便であった。
【０００７】
ただ、すべてのスイッチの音声案内を行うようにすれば、わずらわしいと感じる人も出てくるという課題を有していた。
【０００８】
本発明は、前記従来の課題を解決するもので、視覚障害者や高齢者など、視力の弱っている人が安心して操作できるリモコンを提供することを目的とする。
【課題を解決するための手段】
【０００９】
前記従来の課題を解決するために、本発明の給湯機のリモコンは、すべてスイッチ操作に応じて音声案内をだすのか、一部のスイッチ操作に限定するのか、すべての音声案内を出さないのかを設定する音声案内設定手段を備えることにより、音声案内を必要とする使用者に対して、十分な音声案内を提供し、安心して使えるようにできると共に、音声案内をわずらわしいと感じる人に対しても、使い勝手のよいリモコンを提供できる。
【００１０】
また、本発明の給湯機のリモコンは、一度スイッチを操作するとそのスイッチの名称または機能を音声出力手段から発声し、一度目のスイッチ操作から一定時間内に再度同じスイッチを操作した場合のみ、スイッチを受け付けて動作を開始するので、スイッチを間違って操作しても、すぐには動作せず、音声で確認できるので、安心して操作できるリモコンを提供できる。
【発明の効果】
【００１１】
本発明の給湯機のリモコンは、視覚障害者や高齢者など、視力の弱っている人が安心して操作できるリモコンを提供することができる。
【発明を実施するための最良の形態】
【００１２】
第１の発明は、音声出力手段と複数のスイッチを備えた給湯機のリモコンにおいて、すべてスイッチ操作に応じて音声案内をだすのか、一部のスイッチ操作に限定するのか、すべての音声案内を出さないのかを設定する音声案内設定手段を備えたことにより、音声案内を必要とする度合いに合わせて、音声案内を設定できるので、視覚障害者や高齢者など、視力の弱っている人が安心して操作できる。
【００１３】
第２の発明は、音声出力手段と複数のスイッチを備えた給湯機のリモコンにおいて、一度スイッチを操作するとそのスイッチの名称または機能を音声出力手段から発声し、一度目のスイッチ操作から一定時間内に再度同じスイッチを操作した場合のみ、スイッチを受け付けて動作を開始するスイッチ受付手段を備えたことにより、一度目に操作したスイッチを音声で確認してから、最終スイッチ操作ができるので、視覚障害者や高齢者など、視力の弱っている人が安心して操作できる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における給湯機のリモコンの外観図である。
【００１６】
図１において、１はケース、２は表示素子、３は運転スイッチ、４は暖房スイッチ、５はふろ自動スイッチ、６は音声出力手段、７はメニュースイッチ、８はダウンスイッチ、９はアップスイッチ、１０は確定スイッチである。
【００１７】
図２は、本発明の第１の実施の形態における給湯機のリモコンの回路ブロック図である。
【００１８】
図２において、１１はリモコン、１２はマイコン、１３はスイッチの入力を検知するためのスイッチ入力回路、１４は音声出力手段６内の音声出力回路、１５は音声出力手段６内のスピーカー、１６は音声案内設定手段、１７は通信回路、１８は給湯機である。
【００１９】
以上のように構成された給湯機のリモコンについて、図１、図２を用いて、その動作、作用を説明する。
【００２０】
まず、音声案内設定手段１６に、すべてスイッチ操作に応じて音声案内をだすのか、一部のスイッチ操作に限定するのか、すべての音声案内を出さないのかを設定する手順を説明する。メニュースイッチ７を操作すると、ふろ温度や、ふろ水位、現在時刻などの普段はあまり操作する必要のない設定項目が、表示素子２に表示される。メニュースイッチ７を繰り返し操作し、表示素子に音声案内の項目を表示させる。この時の表示素子の表示内容は、図１の通りである。また、同時に音声出力手段６から「音声案内を設定します」との案内を出力する。初期設定では、表示素子２に表示されている「１．すべて」に設定されているので、音声出力手段６から「すべてのスイッチ操作の案内をします」との音声案内を出力する。ダウンスイッチ８とアップスイッチ９で、希望する音声案内を選択し、確定スイッチ１０で決定する。
【００２１】
この時決定した音声案内の設定が音声案内設定手段１６に記憶され、以降の音声案内は（表１）の通りとなる。
【００２２】
【表１】
2006292192.tif 000003
【００２３】
（表１）に示したとおり、音声案内設定手段１６で「１．すべて」を選択している場合は、これまで音声案内されなかったスイッチもすべて音声案内が行われる。
【００２４】
このように、音声案内設定手段１６で「１．すべて」を選択している場合は、すべてのスイッチの操作状況が音声で案内されるので、視覚障害者や高齢者など、視力の弱っている人が安心して操作できる。
【００２５】
また、このような音声案内がわずらわしいと感じる人も、音声案内設定手段１６の設定を変えるだけで、わずらわしさを感じないで済む。
【００２６】
なお、音声案内設定手段１６は、図２の回路ブロック図では、マイコン１２と別に記載したが、マイコン１２内にその機能を含めても良い。
【００２７】
なお。音声案内設定手段１６で設定した内容は、停電でも失われないように、不揮発性メモリーに記憶させたり、電池やコンデンサーでバックアップをとることが望ましい。
【００２８】
（実施の形態２）
図３は、本発明の第２の実施の形態における給湯機のリモコンの回路ブロック図である。
【００２９】
図３において、リモコン１１、マイコン１２、音声出力手段６内の音声出力回路１４、音声出力手段６内のスピーカー１５、通信回路１７、給湯機１８は実施の形態１と同じである。図３の１９は、スイッチ受付手段である。
【００３０】
図４は、本発明の第２の実施の形態における給湯機のリモコンのスイッチ受付手段１９のフローチャートである。
【００３１】
本発明の第２の実施の形態における給湯機のリモコンの外観図は図１と同じである。
【００３２】
以上のように構成された給湯機のリモコンについて、図１、図３、図４を用いて、その動作、作用を説明する。
【００３３】
例えば、運転スイッチ３を入れたい場合を説明する。
【００３４】
まず、運転スイッチ３が操作されると、スイッチ受付手段１９は、運転スイッチ仮受付信号をマイコン１２に送る。マイコン１２は、音声出力手段６から「運転スイッチ」の音声案内を出力する。一定時間内に再度運転スイッチ３が操作されると、スイッチ受付手段１９は、運転スイッチ本受付信号をマイコン１２に送る。マイコン１２は、音声出力手段６から「運転します」の音声案内を出力する。
【００３５】
前記一定時間とは、１〜１０秒以内が適当である。最短でも、スイッチ受付手段１９が１度目のスイッチ操作の仮受付をして、音声案内が終了する時間は必要である。最長は、一度目のスイッチ操作を意識している時間ということになる。あまり長すぎると、一度目のスイッチ操作を忘れて、今回が一度目と思って操作したのが、スイッチの本受付（２度目）となってしまい、使用者の意図とずれてしまうことがある。
【００３６】
運転スイッチの本受付信号を受けたマイコン１２は、通信回路１７を介して、給湯機１８に運転開始信号を送り、給湯機１８は運転を開始する。
【００３７】
次に、使用者がスイッチ操作を誤った場合を説明する。例えば、運転スイッチ３はすでに入りにされていて、暖房スイッチ４を操作して、暖房運転を入りにしたいのに、ふろ自動スイッチ５を操作した場合を説明する。
【００３８】
ふろ自動スイッチ５を操作すると、スイッチ受付手段１９はふろ自動スイッチ仮受付信号をマイコン１２に送る。マイコン１２は、音声出力手段６から「ふろ自動スイッチ」の音声案内を出力する。使用者は、暖房スイッチ４を操作したつもりなのに、「ふろ自動スイッチ」の音声案内が流れたので、スイッチ操作を間違えたことに気がつく。そこで、再度暖房スイッチ４を操作すると、スイッチ受付手段１９は暖房スイッチ仮受付信号をマイコン１２に送る。マイコン１２は、音声出力手段６から「暖房スイッチ」の音声案内を出力する。この時、スイッチ受付手段１９は、ふろ自動スイッチ仮受付信号は解除する。使用者は、「暖房スイッチ」の音声案内が流れたので、安心して、再度暖房スイッチ４を操作できる。スイッチ受付手段１９は、一定時間内に再度暖房スイッチ４が操作されたので、暖房スイッチ本受付信号をマイコン１２に送る。マイコン１２は、音声出力手段６から「暖房運転します」の音声案内を出力する。暖房スイッチの本受付信号を受けたマイコン１２は、通信回路１７を介して、給湯機１８に暖房運転開始信号を送り、給湯機１８は暖房運転を開始する。
【００３９】
以上、リモコンとしての動作、作用を分かりやすく説明したが、スイッチ受付手段１９の詳細な動作を、図４を用いて説明する。
【００４０】
図４のステップ１で、スイッチ受付手段１９がスイッチ操作を検知すると、ステップ２へ進む。ステップ２では、前回のスイッチ操作から一定時間内かどうかを判定する。一定時間内であればステップ３へ進む。一定時間内でなければ、ステップ５へ進み、仮受付信号を出力する。ステップ３では、前回のスイッチ操作と同じスイッチが操作されたかを判定する。前回と同じであればステップ４へ進み、本受付信号を出力する。ステップ３で前回と同じスイッチ操作でないと判定されれば、ステップ５へ進み、仮受付信号を出力する。ステップ４へ進む条件は、前回と同じスイッチ操作が一定時間内に行われた場合のみであり、その他のスイッチ操作は、すべて仮受付信号出力となる。
【００４１】
このように、使用者が、一度目のスイッチ操作をした時は、スイッチ受付手段１９で、仮受付をし、音声出力手段６からスイッチの名称または機能を案内し、使用者がその音声案内を聞いてから、再度スイッチを操作した場合のみ、スイッチ受付手段１９は本受付をし、マイコン１２が音声出力手段６から本受付したことを音声案内するので、視覚障害者や高齢者など、視力の弱っている人が安心して操作できる。
【００４２】
なお、スイッチ受付手段１９は回路ブロック図ではマイコン１２とは別に記載しているが、スイッチ受付手段１９の機能をマイコン１２の内部に取り込んでもよい。
【００４３】
なお、実施例では、仮受付時の音声案内は、スイッチ名称（例えば「運転スイッチ」）としたが、機能（例えば「運転入り」）を音声案内してもよい。また、「運転を入りにしますか」など、使用者に問いかけるようにしてもよい。
【産業上の利用可能性】
【００４４】
以上のように、本発明にかかる給湯機のリモコンは、音声出力手段を利用し、視覚障害者や高齢者など、視力の弱っている人が安心して操作できるので、操作部を持つ機器への展開が可能である。
【図面の簡単な説明】
【００４５】
【図１】本発明の実施の形態１における給湯機のリモコンの外観図
【図２】本発明の実施の形態１における給湯機のリモコンの回路ブロック図
【図３】本発明の実施の形態２における給湯機のリモコンの回路ブロック図
【図４】本発明の実施の形態２における給湯機のリモコンのスイッチ受付手段１９のフローチャート
【符号の説明】
【００４６】
３、４、５  スイッチ
６  音声出力手段
１６  音声案内設定手段
１９  スイッチ受付手段
【図１】
2006292192.tif 000004
【図２】
2006292192.tif 000005
【図３】
2006292192.tif 000006
【図４】
2006292192.tif 000007